(57)【特許請求の範囲】
【請求項１】
ホストコンピューティングデバイスで、無線送電モジュールおよび無線データ送信モジュールを両方とも、前記ホストコンピューティングデバイスの回路基板に集積する段階と、
前記ホストコンピューティングデバイスのプロセッサを利用して、前記無線送電モジュールを起動させておく期間に基づく送信ポリシー及び電力量に基づく送信ポリシーを含む２以上の送信ポリシーに基づいて、前記無線送電モジュールを設定する段階と、
前記無線送電モジュールおよび前記無線データ送信モジュールからそれぞれの電力とマルチメディアデータとを受信したら、前記電力と前記マルチメディアデータとを前記ホストコンピューティングデバイスから周辺デバイスに無線で送信する段階と
を備える方法。
【請求項２】
前記送信の前に、前記ホストコンピューティングデバイスの回路基板上の電力サブシステムからソース電力を得る段階と、
前記プロセッサを利用して、前記ホストコンピューティングデバイスのメモリに格納されている１以上のアプリケーションに関連するアプリケーションデータに基づいて、前記無線データ送信モジュールを設定する段階と
を備え、
前記電力サブシステムは、交流または直流電源に連結され、
前記１以上の送信ポリシーは、前記メモリに格納されている、請求項１に記載の方法。
【請求項３】
前記無線送電モジュールを設定する段階は、
前記プロセッサから、バス経由で、前記無線送電モジュールの起動時間インスタント、前記無線送電モジュールを起動させておく期間、および、前記無線送電モジュールが送信する電力量のうち１以上を決定するための１以上の信号を受信する段階を有する請求項２に記載の方法。
【請求項４】
前記無線データ送信モジュールを設定する段階は、
前記送信の前に前記プロセッサが処理したアプリケーションデータを受信する段階を有する請求項２に記載の方法。
【請求項５】
前記マルチメディアデータは、オーディオデータ、ビデオデータ、非オーディオ−ビジュアルデータのうち１以上、および、これらの組み合わせを含み、前記マルチメディアデータは、送信される前記電力に関連するデータから独立したものである請求項１から４のいずれか１項に記載の方法。
【請求項６】
前記ホストコンピューティングデバイスは、デスクトップパーソナルコンピュータまたはモバイルコンピューティングデバイスである請求項１から５のいずれか１項に記載の方法。
【請求項７】
前記送信する段階は、前記無線送電モジュールおよび前記無線データ送信モジュールの両方に連結され、前記周辺デバイスに対して、前記電力と前記マルチメディアデータとを同期させて、または同期させずに送信するよう構成されているアンテナを利用して行われる請求項１から６のいずれか１項に記載の方法。
【請求項８】
前記送信する段階は、
前記電力を、前記無線送電モジュールに連結された第１のアンテナから周辺デバイスに送信する段階と、
前記マルチメディアデータを、前記無線データ送信モジュールに連結された第２のアンテナから前記周辺デバイスに送信する段階と
を有する請求項１から７のいずれか１項に記載の方法。
【請求項９】
周辺デバイスで、無線受電モジュールおよび無線データ受信モジュールを両方とも、前記周辺デバイスの回路基板に集積する段階と、
前記周辺デバイスで、ホストコンピューティングデバイスから電力およびマルチメディアデータを無線で受信する段階と、
受信した前記電力を前記無線受電モジュールに提供して、受信した前記マルチメディアデータを前記無線データ受信モジュールに提供して、処理に備えさせる段階と
を備え、
必要な電力の送信が設定された閾値期限よりも長い場合、前記周辺デバイスが一時的にローカル電源から電力を引いてくる方法。
【請求項１０】
前記周辺デバイスのバッテリモジュールに切り替えて、追加電力を前記周辺デバイスに提供して、前記ホストコンピューティングデバイスからの受電の遅延を補う段階と、
受信した前記電力を利用して前記バッテリモジュールを充電する段階と
をさらに備える請求項９に記載の方法。
【請求項１１】
受信した前記マルチメディアデータを前記周辺デバイスのプロセッサに送信して、前記周辺デバイスのメモリに格納されている１以上のアプリケーションを実行させる段階をさらに備える請求項９または１０に記載の方法。
【請求項１２】
前記無線受電モジュールおよび前記無線データ受信モジュールは、前記周辺デバイスの共通のアンテナに連結されており、前記共通のアンテナは、前記電力および前記マルチメディアデータを同期させて、または同期させずに受信する請求項９から１１のいずれか１項に記載の方法。
【請求項１３】
前記周辺デバイスは、投影デバイス、スピーカ、表示デバイス、および、オーディオ−ビジュアルデバイスのうち少なくとも１つである請求項９から１２のいずれか１項に記載の方法。
【請求項１４】
前記電力は、前記無線受電モジュールに連結されている第１のアンテナで受信され、前記マルチメディアデータは、前記無線データ受信モジュールに連結されている第２のアンテナで受信される請求項９から１３のいずれか１項に記載の方法。
【請求項１５】
前記マルチメディアデータは、オーディオデータ、ビデオデータ、非オーディオ−ビジュアルデータのうち１以上、および、これらの組み合わせを含み、前記マルチメディアデータは、受信される前記電力に関連するデータから独立したものである請求項９から１４のいずれか１項に記載の方法。
【請求項１６】
ホストコンピューティングデバイスと、
両方とも前記ホストコンピューティングデバイスの回路基板に集積された無線送電モジュールおよび無線データ送信モジュールと
を備え、
前記ホストコンピューティングデバイスは、前記無線送電モジュールおよび前記無線データ送信モジュールからそれぞれ受信されたら、電力とマルチメディアデータとを周辺デバイスに無線で送信して、
前記ホストコンピューティングデバイスのプロセッサを利用して、前記無線送電モジュールを起動させておく期間に基づく送信ポリシー及び電力量に基づく送信ポリシーを含む２以上の送信ポリシーに基づいて、前記無線送電モジュールを設定する、装置。
【請求項１７】
前記ホストコンピューティングデバイスは、デスクトップパーソナルコンピュータまたはモバイルコンピューティングデバイスである請求項１６に記載の装置。
【請求項１８】
前記マルチメディアデータは、オーディオデータ、ビデオデータ、非オーディオ−ビジュアルデータのうち１以上、および、これらの組み合わせを含み、前記マルチメディアデータは、送信される前記電力に関連するデータから独立したものである請求項１６または１７に記載の装置。
【請求項１９】
ホストコンピューティングデバイスから電力およびマルチメディアデータを無線で受信する周辺デバイスと、
両方とも前記周辺デバイスの回路基板に集積された無線受電モジュールおよび無線データ受信モジュールと
を備え、
前記周辺デバイスは、受信した前記電力、および、受信した前記マルチメディアデータを、前記無線受電モジュールおよび前記無線データ受信モジュールにそれぞれ提供して、処理に備えさせ、
前記周辺デバイスは、必要な電力の送信が設定された閾値期限よりも長い場合、一時的にローカル電源から電力を引いてくる装置。
【請求項２０】
前記周辺デバイスは、投影デバイス、表示デバイス、スピーカ、および、オーディオ−ビジュアルデバイスのうち少なくとも１つである請求項１９に記載の装置。
【発明の詳細な説明】
【技術分野】
【０００１】
本開示は、概して、電力およびデータの無線送受信の分野に係り、詳しくは、完全に無線の周辺アプリケーションをサポートするシステムインテグレーションのための方法および装置に係る。
【背景技術】
【０００２】
従来のデバイスのなかには、無線利用可能なディスプレイを用いて、ホストシステムと無線でコンテンツを消費することができるものがある。また他の従来のデバイスとして、ソースから（例えば充電の目的で）無線で電力を消費できるものもある。しかし、無線周辺デバイスを利用してコンテンツを消費しながら、無線で電力を消費できるデバイスはかつて存在しない。無線電力サブシステムと、無線データサブシステムとを、送受信のために同じハードウェアコンピューティングプラットフォームに統合したものも、従来のデバイスには見当たらない。結果として、従来のデバイスは、電力を得るために有線デバイスに頼ることになり、ソースからのコンテンツ受信のみに無線その他の方法を利用している現状である。例えば、ラップトップまたはデスクトップコンピュータから受けたスライドショーをスクリーンまたはディスプレイに表示させるためにプロジェクタを利用する従来のシステムは、このプロジェクタにスライドショー投影表示を実行させるために、電力配信を有線で受ける必要がある。
【図面の簡単な説明】
【０００３】
【図１】本開示の様々な態様における、出力用の周辺デバイスへホストコンピューティングデバイスから無線送電およびデータ送信を利用する環境の一例を示す。
【０００４】
【図２】本開示の様々な態様における、電力およびデータを無線送信するホストコンピューティングデバイスのブロック図の一例を示す。
【０００５】
【図３】本開示の様々な態様における、電力およびデータを無線受信する周辺デバイスのブロック図の一例を示す。
【０００６】
【図４】本開示の様々な態様における、電力およびデータを無線送信する方法のフローチャートの一例を示す。
【０００７】
【図５】本開示の様々な態様における、電力およびデータを無線受信する方法のフローチャートの一例を示す。
【発明を実施するための形態】
【０００８】
以下の記載において、同様の部材には、異なる態様間であっても同様の参照番号を付している。本開示における１以上の態様をより明確に簡潔に示すために、図面を必ずしも実際の縮尺に則って描かず、一定の特徴部を概略化している箇所もある。一態様に関して記載および／または図示している特徴部を、１以上の他の態様で同じ方法でまたは類似した方法で利用することもでき、および／または、ここで開示する技術の他の態様の特徴部と組み合わせて、または、これらの代わりに利用することもできる。
【０００９】
本開示の一部の態様では、ホストコンピューティングデバイスを含む装置を開示する。このホストコンピューティングデバイスに、無線送電モジュールおよび無線データ送信モジュールが両方とも統合される。ホストコンピューティングデバイスは、電力およびマルチメディアデータを無線送電モジュールおよび無線データ送信モジュールからそれぞれ受信すると、周辺デバイスにこれらを無線送信するよう構成されている。
【００１０】
この装置では、ホストコンピューティングデバイスは、デスクトップパーソナルコンピュータまたはモバイルコンピューティングデバイスである。マルチメディアデータは、オーディオデータ、ビデオデータ、非オーディオ−ビジュアルデータのうち１以上、および、これらの組み合わせを含み、マルチメディアデータは、送信電力に関連するデータから独立したものである。ホストコンピューティングデバイスは、無線送電モジュールおよび無線データ送信モジュールの両方に連結されたアンテナを含み、周辺デバイスに対して、電力とマルチメディアデータとを同期させて、または同期させずに送信するよう構成されている。別の例では、ホストコンピューティングデバイスが、周辺デバイスの電力を送信する無線送電モジュールに連結された第１のアンテナと、周辺デバイスにマルチメディアデータを送信する無線データ送信モジュールに連結された第２のアンテナとを含んでいても良い。ホストコンピューティングデバイスは、さらに、無線送電モジュールと無線データ送信モジュールとに連結されたプロセッサを含んでもよく、このプロセッサは、ホストコンピューティングデバイスのメモリに格納されている１以上の送信ポリシーに基づいて無線送電モジュールを制御して、メモリに格納されている１以上のアプリケーションに関連するアプリケーションデータに基づいて、無線データ送信モジュールを制御するよう構成されていてよい。無線送電モジュールは、回路基板上の電力サブシステムに連結され、ここからソース電力を得て、電力サブシステムはさらに、交流または直流電源に連結されている。本開示の別の態様では、無線送電モジュールは、バス経由で、無線送電モジュールの起動時間インスタント、無線送電モジュールを起動させておく期間、および、無線送電モジュールが送信する電力量のうち１以上を決定するために、回路基板のプロセッサから１以上の信号を受信するよう構成されている。無線データ送信モジュールは、回路基板のプロセッサが処理したアプリケーションデータを受信する。
【００１１】
本開示の一部の態様で開示される装置は、ホストコンピューティングデバイスから電力およびマルチメディアデータを無線受信する周辺デバイスを含む。この周辺デバイスの回路基板に、無線受電モジュールおよび無線データ受信モジュールが両方とも統合されている。周辺デバイスは、受信した電力およびマルチメディアデータを、無線受電モジュールおよび無線データ受信モジュールにそれぞれ提供して、処理を促す。
【００１２】
この装置では、周辺デバイスは、投影デバイス、表示デバイス、スピーカ、およびオーディオ−ビジュアルデバイスのうち少なくとも１つであってよい。装置はさらに、周辺デバイス内の、ホストコンピューティングデバイスからの受電遅延を補うべく、周辺デバイスに追加電力を供給することのできるバッテリまたはバッテリモジュールをも含んでいる。バッテリモジュールは、受けた電力の少なくとも一部を充電に利用する。受信したマルチメディアデータは、周辺デバイスのプロセッサにより、周辺デバイスのメモリに格納されている１以上のアプリケーションの実行のために利用される。無線受電モジュールおよび無線データ受信モジュールは、周辺デバイスの共通のアンテナに連結されて、この共通のアンテナは、電力およびマルチメディアデータを同期して、または同期させずに受信する。別の例では、周辺デバイスが、電力を受信するための無線受電モジュールに連結された第１のアンテナを含み、マルチメディアデータを受信するための無線データ受信モジュールに連結された第２のアンテナを含んでもよい。受信されたマルチメディアデータは、オーディオデータ、ビデオデータ、非オーディオ−ビジュアルデータのうち１以上、および、これらの組み合わせを含み、マルチメディアデータは、受信電力と関連するデータから独立したものである。
【００１３】
本開示の一態様では、ホストコンピューティングデバイスの回路基板に、無線送電モジュールと無線データ送信モジュールとを両方とも統合する段階を含む方法が提供される。この方法は、無線送電モジュールおよび無線データ送信モジュールからそれぞれ電力およびマルチメディアデータを受け取ると、これらをホストコンピューティングデバイスから周辺デバイスに無線送信する段階も含む。方法はさらに、送信前に、ホストコンピューティングデバイスの回路基板の電力サブシステムからソース電力を得る段階も含む。電力サブシステムは、交流または直流電源に連結されている。方法は、ホストコンピューティングデバイスのプロセッサを用いて、ホストコンピューティングデバイスのメモリに格納されている１以上の送信ポリシーに基づいて無線送電モジュールを設定して、このプロセッサを用いて、メモリに格納されている１以上のアプリケーションに関連するアプリケーションデータに基づいて、無線データ送信モジュールを設定する。
【００１４】
この方法では、無線送電モジュールの設定に、バス経由で、無線送電モジュールの起動時間インスタント、無線送電モジュールを起動させておく期間、および、無線送電モジュールが送信する電力量のうち１以上を決定するための信号をプロセッサから受信することが含まれる。無線データ送信モジュールの設定には、送信前にプロセッサが処理するアプリケーションデータを受信することが含まれる。送信は、無線送電モジュールおよび無線データ送信モジュールの両方に連結されたアンテナを用いて行われ、周辺デバイスに電力およびマルチメディアデータを同期して、または同期させずに送信する。送信には、無線送電モジュールに連結された第１のアンテナから周辺デバイスへ電力を送信すること、および、無線データ送信モジュールに連結された第２のアンテナから周辺デバイスへマルチメディアデータを送信することが含まれてよい。
【００１５】
本開示の一部の態様においては、周辺デバイスの回路基板に無線受電モジュールと無線データ受信モジュールとが両方とも統合する方法を開示する。方法には、周辺デバイスで、ホストコンピューティングデバイスから電力およびマルチメディアデータを無線受信する段階と、受けた電力を無線受電モジュールに提供して、受信したマルチメディアデータを無線データ受信モジュールに提供して処理を受けさせる段階とが含まれる。方法はさらに、周辺デバイスのバッテリモジュールに切り替えて、ホストコンピューティングデバイスからの受電遅延を補うための追加電力を周辺デバイスに供給する段階と、受けた電力を利用してバッテリモジュールを充電する段階とを含む。方法は、受信したマルチメディアデータを周辺デバイスのプロセッサに送信して、周辺デバイスのメモリに格納されている１以上のアプリケーションを実行する段階を含む。
【００１６】
この方法では、無線受電モジュールおよび無線データ受信モジュールは、周辺デバイスの共通のアンテナに連結されて、この共通のアンテナは、電力およびマルチメディアデータを同期して、または同期させずに受信する。別の例では、無線受電モジュールに連結された第１のアンテナで受電して、無線データ受信モジュールに連結された第２のアンテナでマルチメディアデータを受信してもよい。
【００１７】
上述した特徴およびその他の特徴は、関連する構造要素の動作方法および機能、製造部品および効率面の性能とともに、以下の記載および添付請求項を添付図面とともに考慮することで明らかになるだろう。記載、請求項、図面は全て本明細書の一部をなし、図面間で対応している部材に対しては同様の参照番号を付している。しかし、図面が例示および記載を目的としたものであり、請求項の限定の定義は意図していない点を強調しておく。明細書および請求項で利用される、単数形の名詞には、その文脈からそうではないことが明らかである場合を除いて複数も含められていることを理解されたい。
【００１８】
以下で開示の様々な態様を説明する。図１は、ホストコンピューティングデバイス１０２から周辺デバイス１０４へ無線で送られた電力およびマルチメディアデータを利用する環境１００の一例を示しており、この周辺デバイス１０４は、無線で送信されてきた電力を受け取り、無線で送信されてきたマルチメディアデータ１０８を受信して表示デバイス１０６に出力する。無線で送信される電力およびデータは、図１では異なるサイズの弓形曲線群として表されている。あくまで例示であり限定ではないが、環境１００内のホストコンピューティングデバイス１０２は、ラップトップとして描かれており、周辺デバイス１０４は、プロジェクタまたは投影デバイスとして描かれており、表示デバイス１０６は、投影表示スクリーンとして描かれている。しかし、本開示を読んだ当業者であれば容易に想到するように、ホストコンピューティングデバイス１０２は、デスクトップパーソナルコンピュータ（ＰＣ）、モバイルコンピューティングデバイス（例えば、計算能力のあるスマートフォン）、または、様々な種類のデータ（マルチメディアデータ１０８を含む）を格納、処理することのできる、その他の種類のコンピューティングデバイス（例えば情報携帯端末またはＰＤＡデバイス）であってもよい。同様に、周辺デバイス１０４は、スピーカ、表示デバイス、および／または、オーディオ−ビジュアルデバイス、または別の、ホストコンピューティングデバイス１０２に類似しているが、無線電力およびマルチメディアデータ１０８の受信および／または表示に利用される別のデバイスであってもよい。例えば、周辺デバイス１０４は、テレビ、コンピュータモニタ、または、ホストコンピューティングデバイス１０２から無線で電力およびマルチメディアデータ１０８を受信することのできる任意の視覚表示ユニットであってよい。このように、一部の例における周辺デバイス１０４は、追加の能力として、マルチメディアデータ１０８を表示する能力を有することで、表示デバイス１０６を不要とすることができる。本開示の様々な態様では、周辺デバイス１０４を固定型とせずに、ホストコンピューティングデバイス１０２から無線で電力およびマルチメディアデータ１０８を受信するモバイル周辺デバイスとしてもよい。加えて、表示デバイス１０６は、アクティブ表示デバイスであってもパッシブ表示デバイスであってもよい。
【００１９】
マルチメディアデータ１０８は、環境１００においてはグラフィックおよび／またはテキストを含むものとして示されているが、このマルチメディアデータ１０８の表現はあくまで例示であり限定ではない。マルチメディアデータ１０８は、周辺デバイス１０４が出力する、ホストコンピューティングデバイス１０２からの電力またはエネルギー送信に関するデータ以外のデータまたはコンテンツを、幅広く含む。例えば、マルチメディアデータ１０８は、オーディオデータ、ビデオデータ、非オーディオ−ビジュアルデータ（例えば、スプレッドシート、テキスト、および／または他のアプリケーションデータ、またはこれらの組み合わせ、およびデータファイルに関連するメタデータ）を含む。一部の例では、マルチメディアデータ１０８は、送信電力（例えば、マルチメディアデータ１０８を出力するのに必要となる電力レベル、電力を送信する期間、ホストコンピューティングデバイス１０２からの送電の起動時間インスタント等）に関するデータおよび／またはメタデータとは別の、これらとは独立したものである。これによって、環境１００内のユーザは、電力を周辺デバイス１０４に提供する際に、手間がかかり不恰好な有線を利用することなく、周辺デバイス１０４に、無線で電力および出力用データを送信することができる。加えて、周辺デバイス１０４において内部／外部バッテリの充電量がなくなると、および／または、有線からしか受電ができないのに、周辺デバイス１０４の動作付近に供給ポイントがない場合、周辺デバイス１０４は、無線で受電した電力を利用して、マルチメディアデータ１０８を出力したり、および／または、コンテンツまたはデータ（例えばマルチメディアデータ１０８）を出力する間にも干渉なく充電したりすることができるようになる。加えて、環境１００の一部の例には、マルチメディアデータ１０８内に、電力コードにより周辺デバイス１０４を給電する電力供給プラグポイントがあるか否かに関わらず、概観よく、効率的に１以上の企業に対して提示するユーザ提示コンテンツを含めることができる。加えて、図１は１つのホストコンピューティングデバイス１０２および１つの周辺デバイス１０４を示しているが、本開示を読んだ当業者であれば想到するように、本開示の様々な態様は、他の数のホストコンピューティングデバイスおよび周辺デバイスに関連したものであってもよい。例えば環境１００は、２以上の周辺デバイスに対して無線で電力およびマルチメディアデータ１０８を送信する１つのホストコンピューティングデバイスを有することもできる。また別の例では、１つの周辺デバイス１０４が、マルチメディアデータ１０８を、２以上の離散したホストコンピューティングデバイスから共有する形で受信することもできる。また別の例では、複数のホストコンピューティングデバイスおよび周辺デバイスが形成するネットワークを環境１００で利用して、電力およびマルチメディアデータの無線送受信を行うことで、ホストコンピューティングデバイス１０２および周辺デバイス１０４をそれぞれ、無線で送信された電力およびデータを共有するホストコンピューティングデバイスおよび周辺デバイスのネットワークにおけるノードとすることもできる。
【００２０】
電力およびマルチメディアデータ１０８の無線送信は、ノイズのあるチャネルで行われることもあり、これらに限定はされないがアナログおよびデジタル変復調を含む適切な変復調技術を必要とする場合がある。これら技術は、振幅変調（ＡＭ）、周波数変調（ＦＭ）、位相変調（ＰＭ）、様々な形態のデジタル周波数変調（ＦＳＫ：digital frequency shift keying）、位相偏移変調（ＰＳＫ）、振幅偏移変調（ＡＳＫ）、およびこれらの組み合わせであってよい。加えて、マルチメディアデータ１０８、および、ホストコンピューティングデバイス１０２が送信するその他のデータ（例えば電力関連のデータ）は、様々な暗号技術（例えばＲＳＡアルゴリズムを利用する公開鍵暗号）を利用して暗号化してもよいことは、本開示を読んだ当業者であれば容易に想到するであろう。ホストコンピューティングデバイス１０２および周辺デバイス１０４は、送信前にハンドシェーク信号（例えばハイパーテキスト転送プロトコル（ＨＴＴＰ）ハンドシェーク）を交換することができる。ホストコンピューティングデバイス１０２および周辺デバイス１０４は、無線ローカルエリアネットワーク（ＷＬＡＮ）、仮想プライベートネットワーク（ＶＰＮ）、格納領域ネットワーク（ＳＡＮ）、メトロポリタンエリアネットワーク（ＭＡＮ）等を含むがこれらに限定はされないプライベート通信ネットワークの一部であってよい。ホストコンピューティングデバイス１０２と周辺デバイス１０４との間の送受信は、１以上の無線通信規格およびプロトコル（例えば、ＩＥＥＥ８０２．１１、Ｂｌｕｅｔｏｏｔｈ（登録商標）、高度モバイル電話サービス（ＡＭＰＳ）、デジタルＡＭＰＳ、ＧＳＭ（登録商標）（global system for mobile communications:移動通信のためのグローバルシステム））、符号分割多元接続（ＣＤＭＡ）、ＬＭＤＳ（local multi-point distribution systems：ローカルマルチポイント配信システム）、ＭＭＤＳ（multi-channel-multi-point distribution systems：マルチチャネルマルチポイント配信システム）等に則ったものであってよい。無線通信規格に適用可能なプロトコルは、ＩＥＥＥ８０２．１１から、ＩＥＥＥ８０２．１１ｂ（規格１１ｂ）、ＩＥＥＥ８０２．１１ａ（規格１１ａ）、ＩＥＥＥ８０２．１１ｇ（規格１１ｇ）、およびＩＥＥＥ８０２．１１ｎ（規格１１ｎ）というように、多岐にわたる。加えて、別の様々なプロトコルまたは規格が、それぞれ異なる周波数範囲（例えば５から６ギガヘルツ（ＧＨｚ）、または２．４ＧＨｚで動作することができる。例えば規格１１ａは、より高い周波数範囲内で動作することができる。無線チャネルは、周波数帯域の２０メガヘルツ（ＭＨｚ）幅であってよく、直交周波数分割多重化（ＯＦＤＭ）または時分割多重化（ＴＤＭ）、またはこれらの組み合わせを利用することができる。例えばＯＦＤＭは、ライン、値を表すサブキャリアで、２０ＭＨｚチャネルの周波数領域で実装することができ、信号をチャネル内の異なるサブキャリアで送信することができる。サブキャリアは、互いに直交して、マルチメディアデータ１０８からの情報を、無線信号についてサブキャリアごとに抽出して除くことができる。
【００２１】
図２は、本開示の様々な態様における、電力およびデータを無線送信するホストコンピューティングデバイス１０２のブロック図の一例を示す。ホストコンピューティングデバイス１０２は、無線送電モジュール２０４と無線データ送信モジュール２０６とが集積された回路基板２０２を含む。あくまで例示であり限定ではないが、回路基板２０２は、デスクトップコンピュータの主なマザーボードである。別の例では、ホストコンピューティングデバイス１０２の回路基板２０２は、無線送電モジュール２０４および無線データ送信モジュール２０６が両方とも、ラップトップまたはＰＤＡデバイス等内の共通のハードウェアプラットフォーム上に統合されているような、様々な回路を有する集積チップ（ＩＣ）モジュールであってよい。また別の態様では、回路基板２０２は、プリント回路基板、および、ノートブックコンピュータ、電話機、マウス、またはキーボードに給電するデスクトップコンピュータモニタのものを含むその他のハードウェアプラットフォームであってよく、データ（マルチメディアデータ１０８）を、これら周辺デバイスとの間で交換しあうものであってよい。さらに回路基板２０２およびそのコンポーネントは、ホストコンピューティングデバイス１０２のユーザにより、健全性チェックおよび診断目的で、ホストコンピューティングデバイス１０２の表示スクリーン（例えば、図１でマルチメディアデータ１０８を表示したものと同じ表示スクリーン）上のグラフィックユーザインタフェース（ＧＵＩ）を介して監視するようなものであってよい。
【００２２】
無線送電モジュール３０４および無縁データ送信モジュール２０６に加え、回路基板２０２は、プロセッサ２１２を無線送電モジュール２０４に連結するバス２０８を含む。同様のバスにより、プロセッサ２１２が、回路基板２０２の本明細書で記載される他のコンポーネントに連結される。例えば、プロセッサ２１２は、メモリ２１０、ハードウェア回路２２２、無線電力アプリケーションモジュール２１６、および無線アプリケーションデータモジュール２１８に、個々のバスを介して連結されるが、１以上のバスがプロセッサ２１２、または独立バスコントローラ（不図示）による仲裁を受けて、回路基板２０２の様々なコンポーネント間で共有されてよく、これは本開示を読んだ当業者であれば想到することである。
【００２３】
無線送電モジュール２０４は、プロセッサ２１２からバス２０８経由で送信ポリシーを受信する１以上のポートを含む。バス２０８はユニバーサルシリアルバス（ＵＳＢ）であってよいが、当業者が公知の他の種類のシリアルバスまたはパラレルバスを利用することもできる。無線送電モジュール２０４は、周辺デバイス１０４に送電するために、アンテナモジュール２２０に物理的に接続された送信ポートを含む。本開示の一部の態様では、無線送電モジュール２０４は、送電を行うために自身の専用アンテナを含むこともできる。無線送電モジュール２０４は、他のハードウェアを含み、これらハードウェアはマイクロコントローラ（ＵＳＢその他のバスを介してプロセッサ２１２と通信するためのもの）および電力増幅器を含むがこれらに限定はされない。一部の例には、ＤＣ／ＤＣコンバータ、インピーダンス整合／調節ネットワーク、方向性結合器、および、順方向電力および反射電力のレベルを計測する回路が含まれてよい。この例では、無線送電モジュール２０４は、電力サブシステム２１４（ＡＣまたはＤＣ電力）から、交流電流（ＡＣ）または直流電流（ＤＣ）電力を直接引き出すことができる。これに加えてまたはこの代わりに、無線送電モジュール２０４は、例えばメモリ２１０に格納されているソフトウェアアプリケーションを使って、および／または、無線電力アプリケーションモジュール２１６を使って構成されてもよく、無線電力アプリケーションモジュール２１６は、無線送電モジュール２０４と、規格化されたバス（ＵＳＢバス等）を介してプロセッサ２１２経由で通信する。ひとたび回路基板２０２に集積されると、無線送電モジュール２０４は、例えば無線電力アプリケーションモジュール２１６内に存在しているソフトウェアアプリケーションからの送信ポリシーによって設定可能となる。一例において、送信ポリシーは、無線電力がアクティブであるときに、無線電力をアクティブにしておく期間、送信する電力のレベル、および、ホストコンピューティングデバイス１０２からの電力の無線送信に関する他のパラメータを規定するものであってよい。無線データ送信モジュール２０６と同じコンピューティングプラットフォーム（例えば回路基板２０２）上に無線送電モジュール２０４を統合する利点の１つに、ホストコンピューティングデバイス１０２のユーザが、ホストコンピューティングデバイス１０２の電力サブシステム２１４から無線送電モジュール２０４が引き出す電力量を制御することができるようになる、ということがある。一度設定されると、無線送電モジュール２０４は、自立して機能することができるようになり、周辺デバイス１０４への送電において他のソフトウェアまたはハードウェア（電力サブシステム２１４外のもの）に依存することがなくなる。加えて、ユーザが、無線電力および無線データ送信の両方を制御することができるようになる（例えば、オーディオ／ビデオデータの開始、停止、および再生スピード等）。本開示の別の態様では、無線電力属性および無線データ属性の制御をシステムレベルに統合して、回路基板２０２が提供するハードウェアプラットフォームでソフトウェアを実行させるようにすることもできる。
【００２４】
無線データ送信モジュール２０６は、プロセッサ２１２からバス経由で処理した後のアプリケーションデータ等を含むマルチメディアデータ１０８を受信する。アプリケーションデータは様々な配信メモリコアまたは単一の外部または内部オンボードメモリ（例えばメモリ２１０）に存在することができるが、ここでは、アプリケーションデータは、自身のメモリを有する無線アプリケーションデータモジュール２１８のハードウェアコンポーネントに存在している。無線送電モジュール２０４同様、無線データ送信モジュール２０６も、プロセッサ２１２の処理を受けた後のマルチメディアデータ１０８および／または他のアプリケーションデータを受信する１以上のポートを含む。無線データ送信モジュール２０６は、周辺デバイス１０４に送電するために、アンテナモジュール２０２に物理的に接続された送信ポートを含む。本開示の一部の態様では、無線データ送信モジュール２０６は、無線送電モジュール２０４に関連付けられたアンテナモジュール２２０に含まれている別のアンテナとは別の自身のアンテナを含んで送電を行うこともできる。無線データ送信モジュール２０６は、マイクロコントローラ（ＵＳＢその他のバスを介してプロセッサ２１２と通信するためのもの）および電力増幅器を含むがこれらに限定はされない他のハードウェアを含む。一部の例には、ＤＣ／ＤＣコンバータ、インピーダンス整合／調節ネットワーク、方向性結合器、および、順方向電力および反射電力のレベルを計測する回路が含まれてよい。
【００２５】
プロセッサ２１２は、カリフォルニア州サンタクララのＩｎｔｅｌ  Ｃｏｒｐｏｒａｔｉｏｎ社が製造するもの等の１以上のマイクロプロセッサまたはマイクロコントローラであってよい。一例では、プロセッサ２１２は、回路基板２０２上にコンピュータ複合体を形成してよく、無線送電モジュール２４０および無線データ送信モジュール２０６のシステムインテグレーションを促進する。プロセッサ２１２は、ホストコンピューティングデバイス１０２の回路基板２０２の機能、および、図４および図５を参照して後述する方法を実行することのできる、１以上のマイクロプロセッサユニット、または、他の論理回路の組み合わせを含んでよい。
【００２６】
回路基板２０２には、プロセッサ２１２に連結されたメモリ２１０およびハードウェア回路２２２が含まれるが、これらコンポーネントは、ホストコンピューティングデバイス１０２内に分散して設けられてもよいし、プロセッサ２１２の一部をなしてもよい。例えばハードウェア回路２２２は、アナログからデジタルコンバータ（ＡＤＣ）およびデジタルからアナログコンバータ（ＤＡＣ）を含む。ハードウェア回路２２２は、様々な制御信号、フィードバック信号、およびその他の内部通信信号を提供して、周辺デバイス１０４に無線で電力およびデータを送信するホストコンピューティングデバイス１０２の機能を提供することができる。
【００２７】
プロセッサ２１２に連結されたメモリ２１０は、一部の例では、ＳＲＡＭ、ＢＳＲＡＭ、またはＥＤＲＡＭといった種類のメモリのうちの１以上である。他の例には、静的ランダムアクセスメモリ（ＳＲＡＭ）、バーストＳＲＡＭまたはＳｙｎｃｈＢｕｒｓｔＳＲＡＭ（ＢＳＲＡＭ）、動的ランダムアクセスメモリ（ＤＲＡＭ）、高速ページモードＤＲＡＭ（ＦＰＭ  ＤＲＡＭ）、エンハンスドＤＲＡＭ（ＥＤＲＡＭ）、拡張データ出力ＲＡＭ（ＥＤＯ  ＲＡＭ）、拡張データ出力ＤＲＡＭ（ＥＤＯ  ＤＲＡＭ）、バースト拡張データ出力ＤＲＡＭ（ＢＥＤＯ  ＤＲＡＭ）、エンハンスドＤＲＡＭ（ＥＤＲＡＭ）、同期ＤＲＡＭ（ＳＤＲＡＭ）、ＪＥＤＥＣＳＲＡＭ、ＰＣＩＯＯ  ＳＤＲＡＭ、ダブルデータレートＳＤＲＡＭ（ＤＤＲ  ＳＤＲＡＭ）、エンハンスドＳＤＲＡＭ（ＥＳＤＲＡＭ）、ＳｙｎｃＬｉｎｋＤＲＡＭ（ＳＬＤＲＡＭ）、ダイレクト・ランバスＤＲＡＭ（ＤＲＤＲＡＭ）、強誘電体ＲＡＭ（ＦＲＡＭ（登録商標））、その他、ホストコンピューティングデバイス１０２の回路基板２０２の機能および図４および図５を参照して後述する方法を実行することのできる任意の他の種類のメモリデバイスが含まれてよい。本開示の一部の態様では、メモリ２１０が１以上のデータベース（不図示）に連結されて、プロセッサ２１２および/または無線電力アプリケーションモジュール２１６および無線アプリケーションデータモジュール２１８とデータを共有することができる。
【００２８】
任意で設けられるバッテリモジュール２２４（ここではバッテリ２２４とも称する）を利用して、無線送電モジュール２０４に追加電力を供給することもでき、電力サブシステム２１４が外部電源に連結されていないとき（例えばホストコンピューティングデバイス１０２がラップトップである場合）には、ＤＣ電源として利用することもできる。バッテリモジュール２２４は、スイッチ２２６を介して給電することができ、ニッケルカドミウム（ＮｉＣｄ）、ニッケル水素（Nickel Metal Hydride：ＮｉＭＨ）、リチウムイオン（ＬｉＯＮ）、その他の、当業者には公知の任意の種類のスマートバッテリまたは「データ処理能力のない」バッテリであってよい。
【００２９】
回路基板２０２には、バッテリモジュール２２４および無線送電モジュール２０４に、スイッチ２２６経由で連結された電力サブシステム２１４が含まれる。電力サブシステム２１４は、例えば壁の電源供給ポイントから回路基板２０２に対するソース電力または供給電力を受け取るために、外部電源（不図示）に接続されていてよい。電力サブシステム２１４は、受け取ったソース電力の電力レベルを、回路基板２０２を動作させる際の通常の電力レベルに整合させるハードウェアコンポーネントを含む。例えば、電力サブシステム２１４は、供給電圧および電力を、バッテリモジュール２２４を充電するのに適した数値にして、無線送電モジュール２０４に給電する１以上のステップダウントランスおよび整流器を含む。本開示の一部の態様では、電力サブシステム２１４は、例えば、電力サブシステム２１４の出力電圧を一定の電圧に規制するコントローラ回路（またはチップ）、および、電力供給の急増から保護する保護回路等のさらなるハードウェアコンポーネントを含む。また他の態様では、電力サブシステム２１４は、回路基板２０２や一般的にホストコンピューティングデバイス１０２を、動作温度範囲（一例としては摂氏約３８度）に維持するファンおよび／またはヒートシンク等の冷却機構に連結されてよい。
【００３０】
回路基板２０２は、アンテナモジュール２２０（ここでは、一部の例でアンテナ２２０と称されることもある）に取り付けられる。この例では、アンテナモジュール２２０は、無線送電モジュール２０４に連結されて、そこから電力を受け、無線データ送信モジュール２０６に取り付けられて、そこからデータ（マルチメディアデータ１０８を含む）を受信したり、受け取った電力およびデータを送信したりする。無線送電モジュール２０４から送信される電力を受け取ることに加えて、アンテナモジュール２２０は、無線データ送信モジュール２０６から送信される電力に関するデータおよび／またはメタデータを受信することができ、このデータおよび／またはメタデータは、アンテナモジュール２２０が無線データ送信モジュール２０６から受け取るデータ（例えばマルチメディアデータ１０８、または、アプリケーションデータの他のコンテンツ）から独立している。さらに、アンテナモジュール２２０は、ホストコンピューティングデバイス１０２に属す回路基板２０２の上、またはこの外の他のハードウェア回路に連結することもできる。例えばアンテナモジュール２２０は、これらに限定はされないが変調ハードウェア、電力増幅器、インピーダンス整合回路、反射電力検知回路、データ受信復号回路（例えばクロックおよびデータ復元回路）、データ送信回路（例えば物理的符号サブシステム）、データ信号を電力信号から分離するハイパスフィルタ等を含むアナログおよびデジタル送信回路に接続することができる。これらのハードウェアコンポーネントは、当業者であれば知っているので詳述を避ける。
【００３１】
本開示の一態様では、アンテナモジュール２２０は、無線送電モジュール２０４および無線データ送信モジュール２０６の両方に連結される単一の共通のアンテナであってよく、電力およびデータ（マルチメディアデータ１０８および電力関連のデータを含む）を同期させて、または同期させずに、周辺デバイス１０４に送信することができてよい。本開示の別の態様では、アンテナモジュール２２０は、例えば電力および電力関連データを周辺デバイス１０４に送信するために第１のアンテナが無線送電モジュール２０４に連結されており、第２のアンテナが無線データ送信モジュール２０６から周辺デバイス１０４へと連結されている、といったように、それぞれ別個の離散アンテナを含んでもよい。本開示のまた別の態様では、アンテナモジュール２２０は、例えばアンテナモジュール２２０の１以上のコントローラまたはプロセッサが管理するアンテナアレイを含み、多重化を行うことができる。別の例では、アンテナモジュール２２０は、プロセッサ２１２による制御を受ける。
【００３２】
アンテナモジュール２２０は、アプリケーションによって異なる周波数範囲で、電力およびデータ（マルチメディアデータ１０８を含む）を、同期させて、または同期させずに送信することができる。電力およびデータ（マルチメディアデータ１０８を含む）は、同期させて送信することができる。または、電力およびデータの送信を、時分割多重化してもよい。例示であり限定ではないが、アンテナモジュール２２０は、１３．５６ＭＨｚ、７．７８ＭＨｚ、９５０ＫＨｚ、２．４ＧＨｚ、５．８ＧＨｚの１以上の周波数または周波数範囲で動作することができるが、他の周波数範囲も、この開示を読んだ当業者には自明であろう。送信された無線電力およびデータは、図２のホストコンピューティングデバイス１０２の下に概略表示されているが、これは例示であり限定ではない。アンテナモジュール２２０は、１以上の異なる種類のアンテナを含んでよい。例示であり限定ではないが、アンテナモジュール２２０は、螺旋アンテナ、ダイポールアンテナ、モノポールアンテナ、ループアンテナ、パッチアンテナ、スロットアンテナ、平板逆Ｆ（ＰＩＦＡ）アンテナ、およびその他の、ホストコンピューティングデバイス１０２からの電力およびデータ送信に関連する特定の送信パラメータによる適切な配置および電気的特性を有する他の種類のアンテナを含んでよい。
【００３３】
図３を参照すると、本開示の様々な態様における、電力およびデータを無線受信する周辺デバイス１０４のブロック図の一例が示されている。ホストコンピューティングデバイス１０２同様に、周辺デバイス１０４も、回路基板３０２を含むが、ホストコンピューティングデバイス１０２から送信される電力およびデータを無線で受信するよう構成されている。回路基板３０２では、無線受電モジュール３０４および無線データ受信モジュール３０６が共通のハードウェアプラットフォームに集積されている。この集積の結果、周辺デバイス１０４では、近くの電源（ＡＣ／ＤＣ）の供給ポイントからの不恰好な有線によって供給される外部電力が不要となり、このような外部電源は、周辺デバイス１０４の動作範囲では利用ができないことも多いので好適である。あくまで例示であり限定ではないが、回路基板３０２を、周辺デバイス１０４の主要なマザーボードとすることもできる。または、周辺デバイス１０４の回路基板３０２を、共通のハードウェアプラットフォーム上の無線受電モジュール３０４および無線データ受信モジュール３０６を含む様々な回路を有する集積チップ（ＩＣ）モジュールとすることもできる（例えば、移動可能なプロジェクタデバイスにおいてのものや、電源コードの長さを限定しないホストコンピューティングデバイス１０２の送信フィールド（field of transmission）の範囲内のもの）。また別の態様では、回路基板３０２は、プリント回路基板、またはこれらに限定はされないが、無線コンピュータ表示モニタ、タブレット状のコンピューティングデバイス、スマートフォンその他のモバイルフォン、モバイル音楽プレーヤ（例えばＭＰ３プレーヤ）、スピーカ、およびヘッドフォン等を含む他のハードウェアプラットフォームであってよい。さらに、回路基板３０２は、周辺デバイス１０４のユーザにより、健全性チェックおよび診断目的で、周辺デバイス１０４の表示スクリーン上のグラフィックユーザインタフェース（ＧＵＩ）を介して、または、ホストコンピューティングデバイス１０２の表示スクリーン上で、監視することができてよい。
【００３４】
ホストコンピューティングデバイス１０２から送信される無線電力およびデータは、周辺デバイス１０４によって、周辺デバイス１０４のアンテナモジュール３２０（ここでは周辺デバイス１０４のアンテナ３２０と称される場合もある）で受信される。受信された無線電力およびデータは、周辺デバイス１０４の上に、またはこれに近接するように、図３では異なるサイズの弓形曲線として概略表示されているが、この表示は例示であり限定ではない。アンテナモジュール３２０は、図３では、周辺デバイス１０４の回路基板３２０に連結されているものとして図示されている。周辺デバイス１０４のアンテナモジュール３２０は、アンテナモジュール３２０が、ホストコンピューティングデバイス１２０から実質的に無線で送信電力およびデータを受信する以外は、その機能および構造面でアンテナモジュール２２０に類似している。アンテナモジュール３２０は、無線電力受信モジュール３０４および無線データ受信モジュール３０６に連結されており、周辺デバイス１０４の共通のアンテナが、電力およびマルチメディアデータ１０８を同期して、または同期せずに受信する。本開示の別の態様では、周辺デバイス１０４のアンテナモジュール３２０は、無線受電モジュール３０４に連結された、受電するための第１のアンテナと、第１のアンテナとは別個であり周辺デバイス１０４内に含まれており、無線データ受信モジュール３０６に連結された、マルチメディアデータ１０８を受信するための第２のアンテナとを含む。アンテナモジュール３２０は、１以上の異なる種類のアンテナを含んでよい。例示であり限定ではないが、アンテナモジュール２２０は、螺旋アンテナ、ダイポールアンテナ、モノポールアンテナ、ループアンテナ、パッチアンテナ、スロットアンテナ、平板逆Ｆ（ＰＩＦＡ）アンテナ、およびその他の、周辺デバイス１０４からの電力およびデータ受信に関連する特定の送信パラメータによる適切な配置および電気的特性を有する他の種類のアンテナを含んでよい。アンテナモジュール３２０のハードウェア構成は、アンテナモジュール２２０のハードウェア構成に類似しているので、本開示を読んだ当業者であれば、上述したアンテナモジュール２２０のハードウェアに関する説明から、アンテナモジュール３２０の詳細なハードウェア構成を理解する。従って、アンテナモジュール３２０のハードウェアの詳細の説明は割愛する。
【００３５】
回路基板３０２は、無線データ受信モジュール３０６に連結されて、周辺デバイスアプリケーションサブシステム３１８に処理および転送する目的で、アプリケーションデータ（マルチメディアデータ１０８を含む）を受信するプロセッサ３０８を含む。プロセッサ３０８はさらに、メモリ３１４およびハードウェア回路３１６に連結されている。周辺デバイス１０４のプロセッサ３０８、メモリ３１４、および、ハードウェア回路３１６は、ホストコンピューティングデバイス１０２のプロセッサ２１２、メモリ２１０、および、ハードウェア回路２２２と類似しているので、ここでは詳述を避ける。本開示の一部の態様では、プロセッサ３０８が、任意で無線受電モジュール３０４に連結されて、無線受電モジュール３０４の動作を制御することもできる。
【００３６】
周辺デバイスアプリケーションサブシステム３１８は、プロセッサ３０８から、処理済みのマルチメディアデータ１０８を含む処理済みのアプリケーションデータを受信する。さらに、周辺デバイスアプリケーションサブシステム３１８は、周辺デバイス１０４が利用されている用途に応じて、マルチメディアデータ１０８を含む処理済アプリケーションデータおよびコンテンツを、スピーカ、スクリーン、および／または、表示ユニットに出力する。周辺デバイスアプリケーションサブシステム３１８は、ソフトウェアコンポーネントに加えてハードウェアコンポーネントも含むことができる。例えば、周辺デバイスアプリケーションサブシステム３１８は、復号ハードウェアおよびソフトウェアに加えて、最下位層に無線トランスポートドライバを含み、アプリケーション層に通信プロトコルミドルウェア、復号用のメディアエンジン、およびユーザインタフェースを含むことができる。
【００３７】
無線受電モジュール３０４は、スイッチ３１０経由で、周辺デバイス１０４の回路基板３０２上の電力サブシステム３２４およびバッテリ３１２（ここではバッテリモジュール３１２とも称される）に連結されている。無線受電モジュール３０４は、受信回路、整流器を含み、さらに、電圧レギュレータを含んでもよい。
【００３８】
無線データ受信モジュール３０６は、ベースバンド処理、ノイズ拒否回路およびフィルタ、デコーダ、復号回路、復調回路、その他、ホストコンピューティングデバイス１０２からのマルチメディアデータ１０８等の受信データをセキュアに復帰させるために必要となる、さらなるハードウェアを含む。一例では、無線データ受信モジュール３０６のハードウェアコンポーネントは、「既製品（off-the shelf）」であるＩＥＥＥ８０２．１１ハードウェアを含む。
【００３９】
無線受電モジュール３０４および無線データ受信モジュール３０６を周辺デバイス１０４の共通の回路基板３０２にシステムインテグレーションすることで、ホストコンピューティングデバイス１０２から受信するマルチメディアデータ１０８およびその他のアプリケーションデータの出力の移動性および柔軟性が高まる。あくまで例示であるが、周辺デバイス１０４は、カリフォルニア州のサンタクララのＩｎｔｅｌ  Ｃｏｒｐｏｒａｔｉｏｎ社が提供する無線ディスプレイであってよいが、これには、本開示の様々な態様において、別個の電力源または充電デバイスを設けずに、共通のプラットフォームで電力およびマルチメディアデータ１０８を受信できるような改善および改良を加えられている。
【００４０】
バッテリ３１２は、データまたはコンテンツ（マルチメディアデータ１０８を含む）の電力出力に電力コードまたは有線を利用せずに、受信したマルチメディアデータ１０８（ホストコンピューティングデバイス１０２からのコンテンツを含む）を周辺デバイス１０２が出力するために、周辺デバイス１０４に充電して電力を供給する。バッテリ３１２のハードワイヤは、ホストコンピューティングデバイス１０２のバッテリ２２４のハードワイヤに類似しているので、ここでは詳述を避ける。無線電力サブシステム３２４'の過渡応答によって、周辺デバイス１０４に、バッテリ３１２等の大々的なローカル電源（significant local power reservoir）を設けても設けなくてもよくなる。例えば、周辺デバイス１０４が急に、より高い電力を要求するようになったが、この需要を満たすには、電力サブシステム３２４側では、必要な電力レベルを送信して応答するために閾値期限（例えばメモリ３１４に格納されているポリシーにより決定される）よりも長くかかるような場合、周辺デバイス１０４は、一時的にバッテリ３１２等のローカル電源から一時的に電力を引いてくる等の方策が必要となる。これは、例えば、ホストコンピューティングデバイス１０２からの送電の遅れを補うために行われる。この遅延の原因としては、チャネルノイズ、フェージング、距離、トランスミッタの反射電力検知回路の応答時間、その電力出力を上げるためのホストコンピューティングデバイス１０２のトランスミッタ電力増幅器の応答時間等、およびこれらの組み合わせ等が考えられる。本開示の一態様では、周辺デバイス１０４は、無線受電モジュール３０４をバッテリ充電器として設定するように実装されるが、当業者が本開示から想到するように、周辺デバイス１０４に大型コンデンサを設けることといった他の実装例もまた可能である。一部の例では、周辺デバイス１０４の電力サブシステム３２４には、外部ＤＣまたはＡＣ電源からの電力を調整するための充電器コントローラおよびＤＣ／ＤＣコンバータが含まれるが、当業者が本開示から想到するように、他のコンポーネント（例えば保護回路）を電力サブシステム３２４に組み入れることも可能である。
【００４１】
図２および図３に示す回路基板２０２内の通信経路の一部である様々なバス（例えばバス２０８）は、その性質上例示であり、限定は意図していない。例えば、これらバス（バス２０８を含む）がＩＳＡバス、ＰＣＩバス、ＰＣＩエクスプレスバス、ＳＭＢｕｓ、Ｉ２Ｃバスであってもよく、これらがＵＳＢバス、ＰＣＩまたはＰＣＩｅバス、アップルデスクトップバス、ＲＳ−２３２シリアル接続、ＦｉｒｅＷｉｒｅバス、ＦｏｒｅＷｉｒｅ８００バス等の標準バスの一部となるよう連結されてもよいし、および／または、これらが組み合わせられてもよい。
【００４２】
図４および図５を参照すると、図４および図５のフローチャートは、図１から図３のデバイス製造方法、および、ホストコンピューティングデバイス１０２および周辺デバイス１０４が実行する様々な処理を実装する機械可読命令の一例を示す。この例では、機械可読命令は、（ａ）プロセッサ（例えばプロセッサ２１２）、（ｂ）コントローラ、および／または、（ｃ）ホストコンピューティングデバイス１０２および／または周辺デバイス１０４内の１以上の他の適切な処理デバイスの実行に必要なアルゴリズムを含む。このアルゴリズムは、例えばフラッシュメモリ、ＣＤ−ＲＯＭ、フロッピー（登録商標）ディスク、ハードドライブ、デジタルビデオ（バーサタイル）ディスク（ＤＶＤ）、その他のメモリデバイスといった有形のコンピュータ可読媒体に格納されるソフトウェアとして実装されてよいが、当業者であれば、アルゴリズムの全体および／または各部分を、プロセッサ以外のデバイスにより実行したり、および／または、公知の方法でファームウェアまたは専用ハードウェアに実装したりすること（例えば、特定用途向け集積回路（ＡＳＩＣ）、プログラマブルロジックデバイス（ＰＬＤ）、フィールドプログラマブルロジックデバイス（ＦＰＬＤ）、フィールドプログラマブルゲートアレイ（ＦＰＧＡ）、個別論理等による実装が可能である）ができることを理解する。例えば、ホストコンピューティングデバイス１０２および周辺デバイス１０４の少なくとも一部のコンポーネントを、ソフトウェア、ハードウェア、および／または、ファームウェア、それらの組み合わせで実装することができる。また、図４および図５のフローチャート４００および５００のプロセスで表す機械可読命令の一部を、ユーザが作動するコマンドラインインタフェース（ＣＬＩ）プロンプトウィンドウを利用して、ホストコンピューティングデバイス１０２および周辺デバイス１０４で、手動で実装することもできる。さらに、アルゴリズムの一例をフローチャート４００および５００を参照して記載したが、当業者であればこの開示から、ホストコンピューティングデバイス１０２および周辺デバイス１０４がそれぞれ送受信する方法としては、他の多くの方法が利用可能であることに気づくだろう。例えば、フローチャート４００および５００のブロックの実行順序は変更することができ、および／または、記載されているブロックの一部を変更したり、削除したり、組み合わせたりすることができる。
【００４３】
次に、図４と図２とを参照して、本開示の様々な態様における、電力およびデータを無線で送信する方法のフローチャート４００の一例を説明する。フローチャート４００は４０２で、ホストコンピューティングデバイス１０２が、送信前に、ホストコンピューティングデバイス１０２の回路基板上の電力サブシステム２１４からソース電力を得ることから始まる。電力サブシステム２１４は、図２に示すように、交流または直流電源に連結されている。４０２の処理は、ホストコンピューティングデバイス１０２で無線送電モジュール２０４および無線データ送信モジュール２０６を両方ともホストコンピューティングデバイス１０２の回路基板２０２に提供することに基づく、またはこれらを提供した後に行われるが、４０２の処理は、この提供とは独立して、またはこれらの前に行われてもよいので、限定条件として捉えられるべきではないことは、当業者であればこの開示から理解するところである。
【００４４】
４０４で、ホストコンピューティングデバイス１０２のプロセッサ２１２を利用して、無線送電モジュール２０４を、例えばホストコンピューティングデバイス１０２のメモリに格納されている１以上の送信ポリシーに基づいて設定する。また別の例では、送信ポリシーが、無線電力アプリケーションモジュール２１６、またはホストコンピューティングデバイス１０２の他の場所に格納されていてもよいことは、本開示から当業者も想到するところである。無線送電モジュール２０４の設定には、バス２０８経由で、例えば、無線送電モジュール２０４の起動時間インスタント、無線送電モジュール２０４を起動させておく期間、および、無線送電モジュール２０４が送信する電力量のうち１以上の信号をプロセッサ２１２から受信することが含まれる。さらに４０４では、プロセッサ２１２を利用して、メモリ２１０に格納されている１以上のアプリケーションに関連して、アプリケーションデータ（例えば、マルチメディアデータ１０８および／または電力関連データから独立した他のデータを含む）に基づいて無線データ送信モジュール２０６の設定が行われる。別の例では、アプリケーションデータが、無線アプリケーションデータモジュール２１８、またはホストコンピューティングデバイス１０２の他の場所に格納されていてもよいことは、本開示から当業者も想到するところである。無線データ送信モジュール２０６の設定には、送信前にプロセッサ２１２が処理したアプリケーションデータの受信が含まれる（４０６で後述する）。
【００４５】
４０６で、ホストコンピューティングデバイス１０２から周辺デバイス１０４へのマルチメディアデータ１０８（他のアプリケーションデータに加えて）および電力の無線送信は、これらを無線送電モジュール２０４および無線データ送信モジュール２０６からそれぞれ受け取ってから行われる。送信は、無線送電モジュール２０４および無線データ送信モジュール２０６が両方とも連結されているアンテナモジュール２０６を利用して行われ、周辺デバイス１０４に電力およびマルチメディアデータ１０８を同期させて、または同期させずに送信するよう設定される。本開示の他の態様では、送信は、電力送信を、無線送電モジュール２０４に連結されている第１のアンテナ（図示しないが、アンテナモジュール２２０の一部である）を介して行い、マルチメディアデータ１０８の送信を、無線データ送信モジュール２０６に連結されている第２のアンテナ（図示しないが、アンテナモジュール２２０の一部である）を介して行うことを含む。
【００４６】
次に、図５と図３とを参照して、本開示の様々な態様における、電力およびデータを無線で受信する方法のフローチャート５００の一例を説明する。フローチャート５００は５０２で、ホストコンピューティングデバイス１０２から周辺デバイス１０４が、電力およびマルチメディアデータ１０８を無線受信することから始まる。この受信は、図３を参照して上述したように、周辺デバイス１０４のアンテナモジュール３２０で、同期して、または同期せずに行われる。例えば、アンテナモジュール３２０は、受信用に共通のアンテナを含んでよい。別の例では、電力の受信は、無線受電モジュール３０４に連結されている第１のアンテナ（図示しないが、アンテナモジュール３２０の一部である）を介して行い、マルチメディアデータ１０８の受信を、無線データ受信モジュール３０６に連結されている第２のアンテナ（図示しないが、アンテナモジュール３２０の一部である）を介して行うことを含む。５０２の処理は、周辺デバイス１０４の回路基板３０２上に無線受電モジュール３０４および無線データ受信モジュール３０６を両方とも集積することに基づく、またはこれらを提供した後に行われるが、５０２の処理は、この提供とは独立して、またはこれらの前に行われてもよいので、限定条件として捉えられるべきではないことは、当業者であればこの開示から理解するところである。
【００４７】
５０４で、受けた電力を無線受電モジュール３０４に提供して、受けたマルチメディアデータ１０８を無線データ受信モジュール３０６に提供して、処理に備えさせる。例えばマルチメディアデータ１０８（加えて、存在する場合には他のアプリケーションデータも）を受けた後で、無線データ受信モジュール３０６は、周辺デバイス１０４のメモリに格納されている１以上のアプリケーションを実行するために、受けたマルチメディアデータ１０８を周辺デバイス１０４のプロセッサ３０８に送る。加えて、受けたマルチメディアデータ１０８は、さらに周辺デバイスアプリケーションサブシステム３１８に送られて、ここから処理済のマルチメディアデータ１０８が、例えば、表示デバイス１０６または投影スクリーン上に出力される。
【００４８】
５０６で、受けた電力を利用してバッテリモジュール３１２を充電する。これは、例えば、周辺デバイス１０４のバッテリモジュール３１２に切り替えて、追加電力を周辺デバイス１０４に提供して、ホストコンピューティングデバイス１０２からの受電の遅延を補うように行われる。遅延は、例えばプロセッサ３０８により予めプログラミングされていてもよいし、計算されてもよい。充電し続けることもできるし、充電は、必要に応じて行うこともできる。
【００４９】
以上、基本構想について説明してきたが、この詳細な記載を読んだ当業者には、この詳細な記載が例示を目的としたものであり、限定は意図していないことが明らかである。当業者には、ここに明示されていない様々な変更、向上、および修正が明らかである。完全に無線の周辺アプリケーションをサポートするための、共通のハードウェアプラットフォーム（例えば回路基板２０２および３０２）からの無線電力およびデータ送受信モジュールのシステムインテグレーションのための方策及び方法の順序は変更可能である。また、電力を送信する例を記載したが、電力および／またはエネルギーの両方を送信したり受信したりすることができる。同様に、送受信される電力またはエネルギーに関するデータには、ホストコンピューティングデバイス１０２が送信する他のアプリケーションデータに関するメタデータおよびマルチメディアデータ１０８に関するメタデータとは異なるメタデータが含まれてもよい。これらの変更、向上、および修正は、本開示に示唆されているものとして、本開示の例示的な態様の精神および範囲に含まれるものとする。加えて、処理エレメントまたはシーケンスの記載順序、または、数、文字、または他の指定の利用は、方法および段階を、請求項が規定する以外の任意の順序に制限するものではない。上述の開示は、本開示の様々な利用可能な態様と今の段階で思われるものを記載してきたが、これら詳細は例示のみを目的としたものであり、添付請求項は、開示された態様に限定はされず、開示されている態様の精神および範囲に含まれている変形および均等物である構成をカバーすることを意図している。
【図１】
0005610591.tif 000002
【図２】
0005610591.tif 000003
【図３】
0005610591.tif 000004
【図４】
0005610591.tif 000005
【図５】
0005610591.tif 000006